(57)【要約】【課題】  管理者が目的とする相手先以外への私的使用を確率高く防止し得る通信端末装置を提供することを目的とする。【解決手段】  直接ダイヤル禁止モードを有し、このモード下でテンキーにより直接ダイヤルが入力されると（ステップＳＴ１〜ＳＴ３）、“直接ダイヤルは禁止中です”のメッセージを表示部７に表示し（ステップＳＴ４）、発呼しない。操作部８のワンタッチキー８ａか短縮キー８ｂが操作された場合に、例えばワンタッチキー８ａが操作されると、ワンタッチキー８ａに対応する電話番号を読み出し（ステップＳＴ７、ＳＴ８）、この電話番号の相手先に向けて発呼する。【選択図】      図２
2005184716.tif 000002
【特許請求の範囲】
【請求項１】
ワンタッチキー及び／もしくは短縮キーと、
直接ダイヤル入力手段と、
直接ダイヤル禁止モード設定手段と、
この直接ダイヤル禁止モードの設定で、直接ダイヤル入力がなされた場合に、直接ダイヤルＩｎを禁止する手段と、
を備えたことを特徴とする通信端末装置。
【請求項２】
前記直接ダイヤル禁止モードの設定で、ワンタッチ／短縮ダイヤルにオペレーョンプロテクトをかける手段と、ワンタッチ／短縮ダイヤルの変更、及び直接ダイヤル禁止モードを解除するためのプロテクトパスコードを入力するパスコード入力手段とを備えることを特徴とする請求項１記載の通信端末装置。
【発明の詳細な説明】
【技術分野】
【０００１】
この発明は、ファクシミリ装置、ファクシミリ機能・複写機能等の多機能を有する複合機などの通信端末装置に関する。
【背景技術】
【０００２】
一般に、ファクシミリ装置、複合機等の通信端末装置においては、相手先を呼び出すのに、テンキーを操作して相手先の電話番号を直接ダイヤルする場合と、ワンタッチキーあるいは短縮キーを操作して登録してある相手先の電話番号を読み出してダイヤルする場合がある。
【０００３】
また、適切な相手先にだけダイヤル発呼できるように、電話番号入力手段から電話番号が入力されると、この電話番号が電話番号登録手段に登録されているか否か判断し、この電話番号登録手段には、各操作者の識別コード毎に、複数の電話番号が登録されており、入力された識別コードが登録されている場合にのみ、この識別コードに対応する電話番号が検索され、入力された電話番号が登録されている場合は、その電話番号の相手先へダイヤル発呼が行われるようにしたファクシミリ装置が開示されている（例えば、特許文献１参照）。
【特許文献１】特開平４−２８６２６９号公報
【発明の開示】
【発明が解決しようとする課題】
【０００４】
ファクシミリ装置等の通信端末装置のユーザは、事情によりファクシミリの私的使用を防ぎたい場合がある。私的使用を防止する最も簡単な方法は、一切の送信を禁止してしまうことである。しかし、これでは通常の使用ができなくなり、非常に不便となる。また、上記特許文献１に記載の技術のように、操作者毎に予めダイヤル可能な電話番号を登録しておき、その登録された電話番号が入力された場合に、ダイヤルを許可する方法もあるが、操作者毎に使用可能な電話番号を登録する必要があるし、登録が面倒である。その上、操作者によって勝手に相手先の電話番号が登録されることもあり得るという問題がある。
【０００５】
この発明は上記問題点に着目してなされたものであって、ユーザの管理者が目的とする相手先以外への私的使用を、より効率高く防止し得る通信端末装置を提供することを目的としている。
【課題を解決するための手段】
【０００６】
この通信端末装置は、ワンタッチキー及び／もしくは短縮キーと、直接ダイヤル入力手段と、直接ダイヤル禁止モード設定手段と、この直接ダイヤル禁止モードの設定で、直接ダイヤル入力がなされた場合に、直接ダイヤルＩｎを禁止する手段と、を備えている。
【０００７】
また、この発明の通信端末装置において、前記直接ダイヤル禁止モードの設定で、ワンタッチ／短縮ダイヤルにオペレーョンプロテクトをかける手段と、ワンタッチ／短縮ダイヤルの変更、及び直接ダイヤル禁止モードを解除するためのプロテクトパスコードを入力するパスコード入力手段とを備えても良い。
【発明の効果】
【０００８】
請求項１に係るこの発明によれば、直接ダイヤル禁止モードとすることにより、ワンタッチ／短縮ダイヤルのみを許可し、直接ダイヤルは禁止するので、ワンタッチ／短縮ダイヤルの管理をきちんとすることにより、私的使用を従来より確率高く防止することができる。
【０００９】
また、請求項２に係る発明によれば、直接ダイヤル禁止モードの設定で、ワンタッチ／短縮ダイヤルにプロテクトをかけ、プロテクトパスコードを入力しないと、ワンタッチ／短縮の変更もできず、この直接ダイヤル禁止モードもＯＦＦできないので、ワンタッチ／短縮ダイヤルテーブルに必要外の相手先を勝手に登録されてしまうのも防止することができる。
【発明を実施するための最良の形態】
【００１０】
以下、実施の形態により、この発明を更に詳細に説明する。図１は、この発明の通信端末装置の一実施形態であるファクシミリ装置（複合機）の構成を示すブロック図である。
【００１１】
図１において、主制御部としてのＣＰＵ（中央処理装置）１は、当該装置を構成する各部を統括制御する機能を有する。
【００１２】
このＣＰＵ１には、ＮＣＵ（網制御回路：Network Control Unit）２、ＭＯＤＥＭ３、ＲＯＭ４、ＲＡＭ５、画像メモリ６、表示部７、操作部８、画像読み取り部９、画像記録部１０、ＣＯＤＥＣ（符号化・復号器：Coder and Decoder ）１１、ＬＡＮ  Ｉ／Ｆ１２がバス１３を介して接続されている。
【００１３】
ＮＣＵ２は、ＣＰＵ１により制御されて、通信回線である電話回線網（ＰＳＴＮ）１４との接続を制御する。また、ＮＣＵ２は、通信相手の電話番号（ＦＡＸ番号を含む）に応じたダイヤルパルスを送出する機能及び着信を検出する機能を有する。ＭＯＤＥＭ３は、ＩＴＵ（国際電気通信連合）−Ｔ勧告Ｔ．３０、Ｔ．４に従ったファクシミリ伝送制御手順（ファクシミリ通信手順）に基づいて、Ｖ．１７、Ｖ．２７ｔｅｒ、Ｖ．２９等に従った送信データの変調及び受信データの復調を行う。また、ＭＯＤＥＭ３は、Ｖ．８、Ｖ．３４を用いたＶ．３４ＦＡＸにも適用可能である。具体的には、ＭＯＤＥＭ３は、ＮＣＵ２を介して電話回線網１４に送出するために、デジタル信号である送信データをアナログの音声信号に変調する機能を有する。また、ＭＯＤＥＭ３は、電話回線網１４からＮＣＵ２を介して受信したアナログの音声信号をデジタル信号に復調する機能を有する。
【００１４】
ＲＯＭ４は、この装置全体の動作を制御するためのプログラム等を記憶する。ＲＡＭ５は、ＣＰＵ１による制御に必要なデータ及び制御動作時に一時記憶が必要なデータ等を記憶する。ＲＡＭ５には、ワンタッチテーブル５ａ及び短縮テーブル５ｂを有する。ワンタッチテーブル５ａには、ワンタッチキーの各キーに対応して相手先名、相手先電話番号、相手先メール番号等の相手先情報が記憶されている。また、短縮テーブル５ｂには、短縮番号に対応して同じく相手先番号等の相手先情報が登録される。画像メモリ６は、画像読み取り部９で読み取った画像データを圧縮状態で記憶する。さらに、画像メモリ６は、パーソナルコンピュータ等の外部装置からネットワーク（ＬＡＮ）１５を介して受信した画像データ又は記録メディアから読み込んだ画像データを圧縮状態（ＪＰＥＧ等）で記憶する。
【００１５】
表示部７は、アイコン、キーボタンの表示や、データの送受信に必要なメッセージ内容、操作部８の操作により入力された電話番号やＦＡＸ番号等を表示する。この表示部７としては、ＬＣＤ（液晶表示装置）が用いられる。操作部８は、図２に示すように、テンキー８ａと、モード切替キー８ｂと、ワンタッチキー８ｃと、短縮キー８ｄと、登録キー８ｅと、スタートキー８ｆと、ストップキー８ｇ等を有する。テンキー８ａは、電話番号やＦＡＸ番号、その他の数値を入力するためのものである。モードキー８ｂは種々の動作モードを切り替え設定するのに使用される。例えば、このモード切替キー８ｂと登録キー８ｅの操作により、直接ダイヤル禁止モードを設定できる。ワンタッチキー８ｃは、相手先の電話番号やＦＡＸ番号をワンタッチで呼び出すためのものである。短縮キー８ｄは、このキーと２桁の数字キーの操作により、短縮ダイヤルが入力できる。登録キー８ｅは、相手先の電話番号やＦＡＸ番号をワンタッチ短縮登録するため、その他の登録時に使用される。スタートキー８ｆは、ファクシミリ通信やコピー動作の開始を指示するためのものである。ストップキー８ｇは、種々の処理動作を停止する場合に操作される。
【００１６】
画像読み取り部９は、ファクシミリ送信するとき又はコピーするときに、原稿の画像データを光学的に走査して読み取る。この画像読み取り部９は、カラー画像の読み取りも可能である。カラー読み取りの場合、画像読み取り部９は、原稿画像を光学的に走査し、ＲＧＢ３色の色分解信号を得る。画像記録部１０は、電子写真方式のプリンタよりなり、受信画像データやコピー動作において画像読み取り部９で読み取った原稿の画像データを記録紙上に記録する。
【００１７】
ＣＯＤＥＣ１１は、読み取った画像データを送信又は記憶するためにＭＨ、ＭＲ、ＭＭＲ方式等により符号化（エンコード）する。また、ＣＯＤＥＣ１１は、圧縮符号化された状態で受信した画像データを、画像記録部１０により記録するために復号（デコード）する。ＬＡＮ  Ｉ／Ｆ１２は、ＬＡＮ（ローカルエリアネットワーク）１５を介して外部機器とのデータ授受を行うためのものであり、ＬＡＮ  Ｉ／Ｆ１２を介してＰＣ（パーソナルコンピュータ）等の外部機器が接続される。例えば、ＬＡＮ  Ｉ／Ｆ１２を介して、外部機器からコピーすべき画像データを受信することができる。
【００１８】
次に、この実施形態ファクシミリ装置のダイヤル入力時の処理動作を、図３に示すフロー図を参照して説明する。このジョブ開始で、ステップＳＴ１において、キー入力有りか否かを判定する。操作部８の何らかのキーが押されると、判定ＹＥＳで、ステップＳＴ２へ移行する。ステップＳＴ２においては、テンキーか否か判定する。操作部８の操作されたキーがテンキー８ａであると、ステップＳＴ３へ移行する。一方、テンキー８ａ以外のキーの操作であると、ステップＳＴ７へ移行する。ステップＳＴ３においては、直接ダイヤル禁止モードが設定されているか否か判定する。この判定は、操作部８のモード切替キー８ｂ等の操作により、直接ダイヤル禁止モードがＯＮ（設定）されているか否かに基づいて行う。直接ダイヤル禁止モードがＯＮされていると、ステップＳＴ４へ移行する。一方、直接ダイヤル禁止モードキーがＯＦＦされたまま（設定されていないまま）であると、ステップＳＴ５へ移行する。
【００１９】
ステップＳＴ４においては、表示部７に“直接ダイヤル禁止中です”のメッセージを表示して処理を終了する。この場合、テンキー８ａで電話番号を直接入力しても有効として取り込まない。つまり、ダイヤルＩｎを許可しない。
【００２０】
ステップＳＴ５においては、直接ダイヤル禁止モードに設定されていないので、入力された数値をダイヤル番号として取り込む。そして、ステップＳＴ６へ移行する。ステップＳＴ６においては、入力された数値の電話番号の宛先に対して発呼する。  ステップＳＴ７においては、操作部８の操作されたキーがワンタッチキー８ｃであるか否かを判定する。ワンタッチキー８ｃが操作された場合には、ステップＳＴ８へ移行する。一方、ワンタッチキー８ｃが操作されていない場合は、ステップＳＴ９へ移行する。ステップＳＴ８においては、ワンタッチテーブル５ａを参照して、操作されたワンタッチキー８ｃに対応する電話番号を読み出し、宛先に発呼する。
【００２１】
ステップＳＴ９においては、操作部８の操作されたキーが短縮キー８ｄか否かを判定する。短縮キー８ｄが操作された場合は、ステップＳＴ１０へ移行する。一方、短縮キー８ｄが操作されていない場合は、ステップＳＴ１１へ移行する。  ステップＳＴ１０においては、短縮テーブル５ｂを参照して、操作された短縮キー８ｄに対応する電話番号を読み出して、宛先に発呼する。ステップＳＴ１１においては、操作されたキーに応じ、他の処理を実行する。
【００２２】
次に、直接ダイヤル禁止モードにおいて、このモードを解除、あるいはワンタッチ／短縮の登録内容を変更登録する場合の処理動作を、図４に示すフロー図を参照して説明する。この処理ルーチンに入ると、ステップＳＴ２１において、直接ダイヤル禁止モードが解除か否かを判定する。オペレータが操作部８のキー操作により、直接ダイヤル禁止モードを解除する操作を行うと、つまりモード切り替えキー８ｂの操作により、直接ダイヤル禁止モード解除を表示部７に表示し、登録キー８ｅを操作すると、ステップＳＴ２３へ移行する。一方、直接ダイヤル禁止モードを解除するキー操作が行われていないと、ステップＳＴ２２へ移行する。
【００２３】
ステップＳＴ２２においては、ワンタッチ／短縮の登録変更か否かを判定する。オペレータが操作部８のキー操作により、登録キー８ｅの操作と、ワンタッチキー８ｃあるいは短縮キー８ｂの操作により、ワンタッチテーブル５ａあるいは短縮テーブル５ｂの登録内容の変更操作を行うと、ステップＳＴ２３へ移行する。ステップＳＴ２３においては、表示部７に“パスコードを入力して下さい”の表示を行う。次に、ステップＳＴ２４へ移行する。
【００２４】
ステップＳＴ２４においては、パスコードが入力されたか否か判定する。オペレータがパスコードを入力すると、次に、ステップＳＴ２５へ移行する。ステップＳＴ２５においては、オペレータが入力したパスコードと予め記憶してあるプロテクトパスコードが一致するか否か判定する。一致しなければ、何もせず、つまり直接ダイヤル禁止モードのＯＦＦ、あるいはワンタッチ／短縮の登録変更を許可せず、処理を終了する。パスコードの一致が得られると、ステップＳＴ２６へ移行する。ステップＳＴ２６において、直接ダイヤル禁止モードのＯＦＦ（解除）、あるいはワンタッチ／短縮の登録変更を許可する。
【００２５】
なお、上記実施形態において、直接ダイヤル禁止モード、直接ダイヤル禁止モード解除、ワンタッチ／短縮変更は、モード切替キー８ｂと登録キー８ｅを使用して設定しているが、これに代えて、それぞれの機能を持つ単独のハードキー、あるいはソフトキーを用いても良い。
【図面の簡単な説明】
【００２６】
【図１】この発明の一実施形態ファクシミリ装置の概略構成を示すブロック図である。
【図２】同実施形態ファクシミリ装置の操作部の操作面を示す図である。
【図３】同実施形態ファクシミリ装置のダイヤル入力の処理動作を説明するためのフロー図である。
【図４】同実施形態ファクシミリの直接ダイヤル禁止モードの解除と、ワンタッチ／短縮の登録変更の処理動作を説明するためのフロー図である。
【符号の説明】
【００２７】
１          主制御部（ＣＰＵ）
２          ＮＣＵ
３          ＭＯＤＥＭ
４          ＲＯＭ
５          ＲＡＭ
５ａ        ワンタッチテーブル
５ｂ        短縮テーブル
６          画像メモリ
７          表示部
８          操作部
８ａ        テンキー
８ｂ        モード切替キー
８ｃ        ワンタッチキー
８ｄ        短縮キー
８ｅ        登録キー
９          画像読み取り部
１０        画像記録部
１１        ＣＯＤＥＣ
１２        ＬＡＮ  Ｉ／Ｆ
１３        バス
１４        公衆回線
１５        ＬＡＮ
【図１】
2005184716.tif 000003
【図２】
2005184716.tif 000004
【図３】
2005184716.tif 000005
【図４】
2005184716.tif 000006